(57)【要約】【課題】  着信通知やスケジュール通知等を香りによって行い、視聴覚弱者や、携帯端末装置を鞄などに入れて身につけていない人でも通知を認識できる携帯端末装置を提供することを目的とする。【解決手段】  装置全体の制御を行う制御部と、装置の状態等を表示する表示手段と、装置の操作のための入力手段と、制御手段からの指令で香りを発する芳香手段とを備える構成を有している。【選択図】図１
2005318345.tif 000002
【特許請求の範囲】
【請求項１】
装置全体の制御を行う制御部と、該装置の状態等を表示する表示手段と、該装置の操作のための入力手段と、該制御手段からの指令で香りを発する芳香手段とを備えることを特徴とする携帯端末装置。
【請求項２】
前記芳香手段は、芳香源を着脱自在に具備することを特徴とする請求項１記載の携帯端末装置。
【請求項３】
前記芳香手段は、スケジュール通知等の所定の機能に連動して、香りを発することを特徴とする請求項１又は請求項２記載の携帯端末装置。
【請求項４】
無線データの送受信を行う無線部を備え、前記芳香手段は、着信通知として香りを発することを特徴とする請求項１又は請求項２記載の携帯端末装置。
【発明の詳細な説明】
【技術分野】
【０００１】
本発明は、着信通知、スケジュール通知等を行う携帯端末装置に関するものである。
【背景技術】
【０００２】
従来の携帯端末装置において、ユーザーに対して着信通知またはスケジュール通知を行う手段として音や光や振動を用いてきた。また着信通知部分を本体から分離することで着信確認の向上を図ってきた。
【特許文献１】特開平８−３０７４８９号公報
【発明の開示】
【発明が解決しようとする課題】
【０００３】
しかしながら、視聴覚弱者や、携帯端末装置を鞄などに入れており身につけていない人は、通知に気が付かないことがある。
【０００４】
本発明は、上記従来の問題を解決するもので、着信通知やスケジュール通知等を香りによって行い、視聴覚弱者や、携帯端末装置を鞄などに入れて身につけていない人でも通知を認識できる携帯端末装置を提供することを目的とする。
【課題を解決するための手段】
【０００５】
本発明の携帯端末装置は、装置全体の制御を行う制御部と、装置の状態等を表示する表示手段と、装置の操作のための入力手段と、制御手段からの指令で香りを発する芳香手段とを備える構成を有している。
この構成により、制御部で定める任意のタイミングで香りを発生させることができる。
【０００６】
また、本発明の携帯端末装置は、芳香手段が、芳香源を着脱自在に具備する構成を有している。
この構成により、異なる香りを発する芳香源に交換することができる。
【０００７】
さらに、本発明の携帯端末装置は、芳香手段が、スケジュール通知等の所定の機能に連動して、香りを発する構成を有している。
この構成により、携帯端末装置を携行する人は、香りでスケジュール通知等の通知を知ることができる。
【０００８】
さらに、本発明の携帯端末装置は、無線データの送受信を行う無線部を備え、芳香手段が、着信通知として香りを発する構成を有している。
この構成により、携帯端末装置に着信があった場合に、香りで着信を知らせることができる。
【発明の効果】
【０００９】
本発明は、香りにより、視聴覚弱者や、携帯端末装置を鞄などに入れて身につけていない人でも着信等の装置の状態を認識することができるという効果を有する携帯端末装置を提供することができる。
【発明を実施するための最良の形態】
【００１０】
本発明の携帯端末装置は、携帯電話、ＰＨＳ（Personal Handyphone System）、電子手帳、ＰＤＡ（Personal Digital（Data） Assistants）、電子辞書、ノートパソコン等の携帯可能な電子的な各種の情報を扱う端末装置である。
【実施例１】
【００１１】
図１は、本発明に係る携帯端末装置の第１の実施例を示す構成図である。以下、本実施例について図面を参照しながら具体的に説明する。
【００１２】
本実施例の携帯端末装置１は、装置全体の制御を行う制御部１２と、装置の状態等を表示する表示手段である表示部１３と、装置の操作のための入力手段である操作部１４と、香りを発する芳香手段である芳香部１５とを備えている。制御部１２は、マイクロコンピュータ等のＣＰＵとプログラムを記憶する記憶手段等で構成され、ソフトウェアにより装置全体の動作を制御する。尚、制御部１２の動作は、プログラムのみによる場合に限定されるものではなく、ハードウェアのみやハードウェアとソフトウェアとの組み合わせ等によって行われるものであってもよい。
【００１３】
表示部１３は、液晶表示器やプラズマ表示器等であり、制御部１２の指示に基づき文字や図柄（アイコン）等の携帯端末装置１の動作に関する表示を行う。操作部１４は、キーボード、タッチスクリーン、ジョグダイアル、各種スイッチ等の文字や図画等の情報を入力するための入力手段である。また、音声やアラーム等を発する発音手段として本実施例の携帯端末装置１では、一例としてスピーカ１７を備えている。携帯端末装置１は、例えば、無線データの送受信を行う無線部を有さない電子手帳やＰＤＡ等である。
【００１４】
また、携帯端末装置１の備える芳香部１５は、制御部１２からの指令で香りを発するものであり、芳香部１５自体に香りの元になる液体等の芳香源を備えてもよいし、図１に示すように、芳香源１５ａを着脱自在に備えてもよい。芳香部１５は、芳香源１５ａの種類により、熱伝導源、信号源、超音波源等として機能し、香りを発生させることになる。図１に示すように、芳香源１５ａを着脱自在とすることで、異なる種類の香りを発する芳香源１５ａに交換可能で、好みやその場の雰囲気等に合った香りを容易に選択・補充することが可能である。
【００１５】
次に、本実施例の携帯端末装置１の動作を説明する。まず、芳香源１５ａを装着した状態で、操作部１４により、任意のタイミングで香りを発生させることが可能である。例えば、操作部１４で操作した場合のみ香りを発生させたり、一定周期で香りを発生させるように設定することも可能である。このように、携帯端末装置１を携行する人は、所望のタイミングで香りを楽しむことができる。また、芳香源１５ａに消臭効果をもたらす原料を用いることで、携帯端末装置１を消臭器として機能させることも可能である。
【００１６】
また、携帯端末装置１の所定の機能に連動して芳香部１５で香りを発生させるか否かの設定を行うこともできる。所定の機能とは、時報通知や、スケジュールで登録した時間になったらアラームとしてのスケジュール通知や、長時間にわたる処理を携帯端末装置１に行わせた場合の処理終了や不具合の発生等の通知等で、通知が必要なもののすべてを含むものである。例えば、操作部１４で、設定した時間になったらスケジュール通知として芳香部１５を機能させると設定した場合、その設定した時間になると芳香部１５が機能して、芳香源１５ａの香りを発生させる。この香りにより、携帯端末装置１を携行する人は、スケジュール通知があったことを知ることになる。このように、制御部１２の指令で香りを発することで、携行する人が、視聴覚弱者や、携帯端末装置１を鞄などに入れて身につけていない人でも携帯端末装置１の動作を認識することができる。尚、スケジュール通知は、芳香部１５だけで行う場合の他、スピーカー、バイブ、ＬＥＤ等の通知手段と併用することが可能である。
【実施例２】
【００１７】
図２は、本発明に係る携帯端末装置の第２の実施例を示す構成図である。以下、本実施例について図面を参照しながら具体的に説明する。
【００１８】
本実施例の携帯端末装置２は、装置全体の制御を行う制御部１２と、装置の状態等を表示する表示手段である表示部１３と、装置の操作のための入力手段である操作部１４と、香りを発する芳香手段である芳香部１５と、無線データの送受信をアンテナ１１ａを介して行う無線部１１とを備えている。また、無線部１１で送受信する音声の入力部としてマイク１６を備え、音声の出力部としてスピーカ１７を備える。尚、制御部１２、表示部１３，操作部１４、芳香部１５及び芳香源１５ａの構成については、実施例１と同様なので説明を省略する。携帯端末装置２は、例えば、無線部１１を介して通信を行う携帯電話やＰＨＳの他、無線ＬＡＮを介してメールの送受信が行える電子手帳、ＰＤＡ、ノートパソコン等である。
【００１９】
次に、本実施例の携帯端末装置２の動作を説明する。まず、芳香源１５ａを装着した状態で、操作部１４により、携帯端末装置２に着信があった場合に、香りを発生させるように設定しておく。
【００２０】
この状態で、携帯端末装置２の無線部１１を介して着信があった場合、制御部１２は、芳香部１５に指令して、香りを発生させる。この香りにより、携帯端末装置２を携行する人は、着信があったことを知ることになる。このように、制御部１２の指令で香りを発することで、携行する人が、視聴覚弱者や、携帯端末装置２を鞄などに入れて身につけていない人でも携帯端末装置２への着信を認識することができる。尚、着信通知は、芳香部１５だけで行う場合の他、スピーカー、バイブ、ＬＥＤ等の通知手段と併用することが可能である。尚、特定の電話番号からの着信や、特定のメールアドレスからのメールの着信の場合に、香りを発生させるように設定してもよい。この場合、制御部１２が着信情報を元に、香りを発生させる必要のある相手方か確認し、設定した相手先であった場合には、制御部１２は、芳香部１５に指令して、香りを発生させるようにする。
【産業上の利用可能性】
【００２１】
本発明は、視聴覚弱者や、携帯端末装置を身につけていない人等において、装置の状態を認識できる携帯端末装置として有効である。
【図面の簡単な説明】
【００２２】
【図１】本発明に係る携帯端末装置の第１の実施例を示す構成図
【図２】本発明に係る携帯端末装置の第２の実施例を示す構成図
【符号の説明】
【００２３】
１１    無線部
１１ａ  アンテナ
１２    制御部
１３    表示部
１４    操作部
１５    芳香部
１５ａ  芳香源
１６    マイク
１７    スピーカー
【図１】
2005318345.tif 000003
【図２】
2005318345.tif 000004